(57)【特許請求の範囲】
【請求項１】
５−アミノレブリン酸、その誘導体及びそれらの塩から選ばれる化合物を含有するフォトダイナミックピーリング用組成物。
【発明の詳細な説明】
【０００１】
【発明の属する技術分野】
本発明はピーリング用組成物に関し、更に詳細には薬剤を皮膚に適用後に光照射することによりピーリングを行うための組成物に関する。
【０００２】
【従来の技術及び発明が解決しようとする課題】
ピーリングとは、古くなった皮膚をはぎ取り新たな皮膚の再生を促す方法で、必ずしも治療を必要としない皮膚病態における皮膚の美的改善を目的に美容医薬分野で広く使われている方法である。現在のピーリングはケミカルピーリングとレーザーピーリングに大別される。
【０００３】
ケミカルピーリングとはフェノール、グリコール酸、トリクロロ酢酸等の薬物を皮膚に塗布し、皮膚をはぎ取る方法であり、浅く皮膚をはぐスーパーフィシャルピーリング、深く皮膚をはぐディープピーリングの別があるが、その施術は化学熱傷に類するものであるので施術後に炎症を伴う。炎症を最小限にするために、より皮膚表層のみに作用させるとその効果が不十分となり、強く作用させるとしばしば遷延する色素沈着と発赤を引き起こし、時に瘢痕をも残す場合がある。また、ディープピーリングの場合は麻酔を必要とする侵潤の大きな方法であり、施術後も疼痛を伴う。
【０００４】
レーザーピーリングは化学薬剤塗布の代わりにレーザー照射で皮膚表面を焼く治療法であり、その施術には麻酔を要し、ケミカルピーリング同様炎症を伴い、特に東洋人においては、しばしば遷延する色素沈着と発赤及び瘢痕形成を引き起こす場合があるため、現状における東洋人へのその適用は、極めて慎重なものとなっている。
【０００５】
以上のように既存のピーリング方法は合併症を招く可能性を有し、合併症を避けようとすれば、得られる効果は十分とはいえないため、効果的で患者への負担の少ないピーリング方法が求められてきた。
【０００６】
【課題を解決するための手段】
そこで本発明者らは種々検討した結果、５−アミノレブリン酸、その誘導体又はそれらの塩を皮膚に適用後、光照射することにより効果的かつ患者に負担をかけずにピーリングができることを見出し、本発明を完成した。
【０００７】
すなわち、本発明は、５−アミノレブリン酸、その誘導体及びそれらの塩から選ばれる化合物を含有するフォトダイナミックピーリング用組成物を提供するものである。本発明において、フォトダイナミックピーリングとは、薬物を皮膚に適用した後に光照射を行うピーリング手段をいう。
【０００８】
【発明の実施の形態】
本発明のピーリング用組成物に用いられる５−アミノレブリン酸、その誘導体又はそれらの塩は、植物成長促進剤、除草剤、殺虫剤、癌の光動力学的治療用増感剤等として有用であることが知られている（特許第２６１３１３６号、特許第２８９６９６３号、特表昭６１−５０２８１４号、特開平２−１３８２０１号）。しかし、５−アミノレブリン酸類がピーリングに応用できることについては全く知られていなかった。
【０００９】
５−アミノレブリン酸の誘導体としては、５−アミノレブリン酸エステル、Ｎ−アシル−５−アミノレブリン酸、Ｎ−アシル−５−アミノレブリン酸エステルが挙げられる。
【００１０】
５−アミノレブリン酸エステルとしては、例えば置換基を有していてもよい直鎖若しくは分岐鎖の又は環状構造を有する炭素数１〜２４のアルキルエステルが挙げられる。このアルキル基が有してもよい置換基としては、例えばヒドロキシ基、アルコキシ基、フェニル基等が挙げられる。このような置換基を有していてもよいアルキル基の好ましい例としては、例えばメチル基、エチル基、ｎ−プロピル基、イソプロピル基、ｎ−ペンチル基、ｎ−ヘキシル基、シクロヘキシル基、ｎ−ヘプチル基、ｎ−オクチル基、ｎ−ノニル基、ｎ−ドデシル基、ｎ−ヘキサデシル基、ベンジル基、フォネチル基、３−フェニルプロピル基、ヒドロキシエチル基、エトキシエチル基等を挙げることができる。
【００１１】
Ｎ−アシル−５−アミノレブリン酸としては、５−アミノレブリン酸のアミノ基が、例えば炭素数１〜２４のアルカノイル基、芳香族アシル基、ベンジルオキシカルボニル基等のアシル基でアシル化された化合物が挙げられる。好ましいアシル基の具体例としては、例えばアセチル基、ｎ−プロパノイル基、ｎ−ブタノイル基、ｎ−ペンタノイル基、ｎ−ヘキサノイル基、ｎ−ノナノイル基、ベンジルオキシカルボニル基等が挙げられる。
【００１２】
Ｎ−アシル−５−アミノレブリン酸エステルとしては、上記のエステル基とアシル基と同じ基を有するものが例示される。好ましくはメチルエステル基とホルミル基、メチルエステル基とアセチル基、メチルエステル基とｎ−プロパノイル基、メチルエステル基とｎ−ブタノイル基、エチルエステル基とホルミル基、エチルエステル基とアセチル基、エチルエステル基とｎ−プロパノイル基、エチルエステル基とｎ−ブタノイル基の組合わせが挙げられる。
【００１３】
５−アミノレブリン酸又はその誘導体の塩としては、例えば塩酸塩、臭化水素酸塩、ヨウ化水素酸塩、リン酸塩、硝酸塩、硫酸塩、酢酸塩、プロピオン酸塩、トルエンスルホン酸塩、コハク酸塩、シュウ酸塩、乳酸塩、酒石酸塩、グリコール酸塩、メタンスルホン酸塩、酪酸塩、吉草酸塩、クエン酸塩、フマル酸塩、マレイン酸塩、リンゴ酸塩等の酸付加塩、及びナトリウム塩、カリウム塩、カルシウム塩等の金属塩、アンモニウム塩、アルキルアンモニウム塩等が挙げられる。なお、これらの塩は使用時において水溶液又は粉体として用いられ、その作用は５−アミノレブリン酸の場合と同一である。
【００１４】
以上の５−アミノレブリン酸、その誘導体又はそれらの塩は、水和物又は溶媒和物を形成していてもよく、またいずれかを単独で、又は２種以上を適宜組合わせて用いることができる。
【００１５】
５−アミノレブリン酸又はその塩は、化学合成、微生物による生産、酵素による生産のいずれの方法によっても製造することができる。また前記５−アミノレブリン酸の誘導体又はその塩は、例えば特開平４−９３６０号公報等に記載された公知の化学合成法によって製造することができる。微生物又は酵素による生産物や化学合成法による粗精製物は、ヒトに対して有害な物質を含まない限り、分離精製することなくそのまま用いることができる。
【００１６】
本発明のピーリング用組成物は、前記５−アミノレブリン酸、その誘導体又はそれらの塩を含有していればその他の成分を更に含んでいてもよく、その剤型としては皮膚外用剤であれば特に制限されず、例えば粉剤、液剤、軟膏剤（油性軟膏、乳剤性軟膏、水溶性軟膏、ヒドロゲルを含む）、パスタ剤等が挙げられる。ここで、その他の成分としては、イソプロピルミリステート、界面活性剤、アルコール類、多価アルコール類などの経皮吸収促進剤等が挙げられる。
【００１７】
水溶液や軟膏として調製する場合は、５−アミノレブリン酸、その誘導体又はそれらの塩の分解を防ぐためにアルカリ性にならないように留意して調製する必要がある。アルカリ性となる場合は酸素を除去することで分解を防ぐことができる。この点を注意すれば通常使用される液剤や軟膏の基剤成分と組み合わせて使用することができる。
【００１８】
本発明組成物を用いてピーリングを行うには、目的とする皮膚に本発明組成物を適用後、当該部位に光があたるようにすればよいが、当該部位に光照射する（フォトダイナミックピーリング）のが好ましい。本発明組成物の皮膚への適用手段としては、有効成分が皮膚から吸収される手段であれば制限されないが、噴霧、塗布、湿布、イオントフォレーシス等の手段が挙げられる。皮膚への適用量は、通常成分の皮膚１００cm2 当たり有効成分である５−アミノレブリン酸、その誘導体又はそれらの塩が５−アミノレブリン酸塩酸塩換算で１０mg〜１０ｇ、より望ましくは１００mg〜５ｇ、更に望ましくは１ｇ〜５ｇである。本発明組成物適用後光照射までは、効率の面から適用部位を遮光するのが好ましい。
【００１９】
次に光照射を行うが、有効成分の経皮吸収性及び代謝の観点から、本発明組成物を適用して２〜４８時間、特に４〜２４時間後に光照射するのが好ましい。また、光照射にあたっては、皮膚上に残存する本発明組成物を除去してから行うのが好ましい。
照射する光は６３５nmを中心にした可視光又は６３５nm近辺のレーザー光が良く、照射強度は１〜１００Ｊ／cm2 、特に３〜１０Ｊ／cm2 が好ましく、照射時間は１分〜５０分、特に１０分〜３０分が好ましい。
【００２０】
本発明による処理後は３日間程度処理箇所が赤くはれ、その後皮膚の表面が自然とはげてくる。個人差もあるが３〜４日から３週間で古い角質や表皮がはげ落ち、シミやそばかす、にきびの除去、肌の張りやつやの回復、しわの改善、面皰後の改善、面皰の生成防止と言ったピーリング効果が現れる。
【００２１】
本発明による処理は通常１度で十分な効果を示すが、更に効果を強めるために複数回行うこともできる。
【００２２】
本発明によるフォトダイナミックピーリングの機序は明らかではないが、次の如く推定される。すなわち、細胞、組織が死ぬ形態としてネクローシスとアポトーシスの２通りがある。ネクローシスは薬剤や熱などの外的要因により細胞が障害されて死ぬものであるが、これが起きた時は、血管の拡張、炎症細胞がその局所に集まる等の炎症反応が引き起こされ、また、その後色素細胞におけるメラニン色素の産生亢進が起こる。一方、アポトーシスは細胞内の内的要因により、細胞がいわば「自殺」するといった細胞死の形態であり、この細胞死は炎症を伴わない、あるいは伴っても微弱であることが知られている。
ケミカルピーリングやレーザーピーリングは薬剤や熱で表皮細胞を殺すネクローシスの機序による方法であり、炎症や色素沈着等あるいは瘢痕形成の障害が起こりやすく、それが、３ケ月、６ケ月時には１年以上も遷延することがある。
これに対してフォトダイナミックピーリングはアポトーシス様機序で表皮細胞を死なせるものと考えられる。外的に投与された５−アミノレブリン酸は表皮細胞に取り込まれた後、その細胞におけるヘム生合成経路に入り、プロトポルフィリンIX等の光感受性物質に転換されて細胞内に蓄積される。プロトポルフィリンIX等の光感受性物質は、これを励起する光線にさらされた後、活性酸素を生み出し、結果として当の細胞は「自殺」する。５−アミノレブリン酸の塩及びその誘導体を投与した場合も体内で５−アミノレブリン酸を誘導し、誘導された５−アミノレブリン酸が同様の機序を引き起こしているものと考えられる。
以上のように、本発明のフォトダイナミックピーリングは、アポトーシス様機序による細胞死であるため、炎症や色素沈着、発赤等の障害が起こりにくいと考えられる。
【００２３】
【実施例】
次に実施例を挙げて本発明を詳細に説明するが、これらは単に例示の目的でかかげられるものであって、本発明はこれら実施例に限定されるものではない。なお、以下の実施例は、医師の診断により、完全なるインフォームドコンセントの下で行われた。
【００２４】
実施例１．
日本薬局方親水軟膏（ヨシダ製薬）に５−アミノレブリン酸塩酸塩を２０重量％の濃度になるように添加し良く混ぜた。
この軟膏１０ｇをインフォームドコンセントを得た２２歳の女性の顔面左半分に塗布し、サランラップで覆い更にその上にアルミ箔で遮光を施した。
４時間後患部を洗浄し、浜松フォトニクス社製エキシマダイレーザー（PDTEDL1）にて波長６３５nm、強度５Ｊ／cm2 にて３０分間照射した。
照射後、局所に浮腫性紅斑を生じたが、３日目から徐々に消失し、これと同時に皮膚表面に薄いかさぶたが生じ、入浴時、洗顔時においてかさぶたになった古い表皮成分が徐々にはげ落ちるようになり、施術後３週間でピーリングが完了した。
顔の左右の比較で、皮膚の張り、しわ、色素沈着、ニキビ痕等が明らかに改善した。治療後６ケ月間のフォローアップにおいても治療箇所は良好であった。
【００２５】
実施例２．
実施例１と同様に調製した軟膏５ｇをインフォームドコンセントを得た２４歳の女性の右頬６cm×６cmに塗布し、サランラップで覆い更にその上にアルミ箔で遮光を施した。
１２時間後患部を洗浄し、浜松フォトニクス社製エキシマダイレーザー（PDTEDL1）にて波長６３５nm、強度５Ｊ／cm2 にて１５分間照射した。
照射後、局所に浮腫性紅斑を生じたが、３日目から徐々に消失し、これと同時に入浴時や洗顔時古い表皮成分が徐々にはげ落ち、施術後６日目には完全に古い皮膚がはげ落ちピーリングが完了した。
左頬の同箇所との比較で、皮膚の張り、しわ、色素沈着、ニキビ痕等が明らかに改善した。治療後６ケ月間のフォローアップにおいても治療箇所は良好であった。
【００２６】
【発明の効果】
本発明のピーリング用組成物を用いれば、患者への負担が少なくかつ有効なピーリングが可能になる。